(57)【要約】【課題】上下風向変更羽根の断熱材を無くし、従来同等の断熱性能を維持しつつ、外観を損なわず、コスト低減を図り、部品のリサイクル率向上を図る。【解決手段】熱交換器６の下側に配された送風ファン４と、送風ファン４により生じる風を吹出す吹出し口３と、前記吹出し口３に配置され吹出す空気の上下の向きを変える上下風向変更羽根１とを備え、上下風向変更羽根１は、箱部１ｂと中空用蓋１ａを係合させ中空部２を形成したもので、中空部２で断熱材１２の貼付けと同等の断熱性能を維持すると共に、箱部１ｂに中空用蓋１ａの係合時、差込み突起７と穴部８により仮固定でき、ドープセメントを使用することで、接着強度が強く、従来の断熱材１２の貼付けよりも簡単に組み立てられ、ドープセメントの溶剤が穴部８より揮発し、母材と同一になるため上下風向変更羽根１をそのままリサイクル使用できるので環境負荷とコスト低減を図ることができる。【選択図】図２
2009063275.tif 000002
【特許請求の範囲】
【請求項１】
送風ファンと、前記送風ファンによって生じる風を吹き出す吹出し口と、前記吹出し口に配置され前記空気の上下方向の向きを変える上下風向変更羽根とを具備し、前記上下風向変更羽根は、箱部と中空用蓋とを相互に係合させて中空部を有する箱状とした空気調和機において、前記中空用蓋の周縁の内側または外側に差込み突起を複数個設け、さらに、前記差込み突起が挿入される穴部を前記箱部の周縁の内側または外側に複数個設け、前記突起と前記穴部とを嵌合させて前記箱部と前記中空用蓋とを仮固定し、しかる後に溶剤に前記箱部と前記中空用蓋と同一材料を溶融させたドープセメントを用いて前記箱部と前記中空用蓋とを接合したことを特徴とする空気調和機。
【請求項２】
ドープセメントが乾燥硬化するまでの間、溶剤分を揮発させ乾燥硬化させるための換気用の孔として、箱部の周縁の穴部が兼用するように構成したことを特徴とする請求項１に記載の空気調和機。
【発明の詳細な説明】
【技術分野】
【０００１】
本発明は室内の冷房を行う空気調和機の上下風向変更羽根の断熱構造に関するものである。
【背景技術】
【０００２】
一般に空気調和機の室内ユニットの吹出口には、冷温風の風向を制御するために上下風向変更羽根および左右風向変更羽根が設けられていて、一般的に上下風向変更羽根に断熱材を貼り付けて羽根に生じる結露を防止したもの（図５）や、特許文献のような上下風向変更羽根の中央部と両端部で厚みを変えた工夫もなされている（例えば、特許文献１参照）。
【特許文献１】特開平７−２３４００６号公報
【発明の開示】
【発明が解決しようとする課題】
【０００３】
しかしながら、とくに１枚で構成された上下風向変更羽根の結露において、上下風向変更羽根裏面に断熱材を貼り付けて、羽根に生じる結露を防止する方法では、デザイン的に見栄えも悪く、断熱材の材料コスト及び貼り付け工数がかかるうえに、特殊な発砲ポリエチレン材料を断熱材として貼り付けるために、リサイクル時に断熱材の分別が必要になるなど廃棄後の環境対応が困難であるという課題を有していた。また、１枚で風向変更する場合、上下風向変更羽根の中央部の厚みを大きくし、両端部を薄くした場合、上下風向変更羽根の支持部の外観にひけが発生するため支持部の形状を複雑に形成する必要があった。
【課題を解決するための手段】
【０００４】
前記従来の課題を解決するために、本発明の空気調和機の上下風向変更羽根は、箱状に形成した箱部と中空用蓋を係合させて中空部を形成し、中空構成の上下風向変更羽根とすることで断熱材貼り付けと同等の断熱性能を維持することができる。
【発明の効果】
【０００５】
本発明の上下風向変更羽根は従来と同等の断熱性能を維持しながら、安価で設備投資費用も少なく組み立てが容易で、しかもリサイクル使用も容易である。
【発明を実施するための最良の形態】
【０００６】
第１の発明は、送風ファンと、前記送風ファンによって生じる風を吹き出す吹出し口と、前記吹出し口に上下風向変更羽根とを具備した空気調和機であって、前記上下風向変更羽根は、箱部と中空用蓋とを相互に係合させて中空部を有する箱状とする際、中空用蓋の周縁に差込み突起を複数個設け、さらに、前記差込み突起が挿入される穴部を箱部の周縁に複数個設けたもので、中空用蓋の箱部への取り付け作業が容易に行え、また、接着剤としてドープセメントを用いたもので、前記接着剤の乾燥硬化中に中空用蓋と箱部が簡単に外れないよう仮固定する構成により、確実に接着され、より強い接着強度により安定した品質を確保することができる。
【０００７】
第２の発明は、特に第１の発明の中空用蓋の周縁に差込み突起を複数個設け、さらに、前記差込み突起が挿入される穴部を箱部の周縁に複数個設けたもので、中空用蓋の箱部への取り付け作業が容易に行え、また、接着剤としてドープセメントを用いたもので、接着強度が強く、さらに溶剤が前記差込み突起が挿入される穴部から揮発し易くなり、揮発した後は母材と同一材料だけの構成となるため、リサイクルの容易化を図ることができる。
また特別な専用設備を必要としないため、より低い開発費用、また短い開発期間で前記発明の効果を得ることができる。
【０００８】
以下、本発明の実施の形態について、図面を参照しながら説明する。なお、この実施の形態によって本発明が限定されるものではない。
【０００９】
（実施の形態１）
図１は、本発明の第一の実施の形態における空気調和機の正面図、図２は、図１のＢ−Ｂ断面図、図３は、同空気調和機の要部断面図（図２のＡ部拡大図）、図４は、同空気調和機の上下風向変更羽根の分解斜視図である。
【００１０】
図２において、空気調和機本体５は前面下部に吹出し口３を有し、吹出し口３内部の上側に熱交換器６と送風ファン４とが取付けられている。そして、吹出し口３には中空部２を形成した上下風向変更羽根１を配設する。
【００１１】
次に、上下風向変更羽根１の係合部の構成について、図３，４を用いて説明する。図に示すように、上下風向変更羽根１は、同一材料で成形された中空用蓋１ａと箱部１ｂとを係合して構成されており、中空用蓋１ａは、外周にシール用突壁９とその先端外側に差込み突起７を複数個設け、また箱部１ｂは、外周にシール用突壁９とその先端内側に穴部８を複数個設ける。そして、差込み突起７は穴部８に嵌合されて中空部２を設けた上下風向変更羽根１を構成する。
【００１２】
以上のように構成された空気調和機の動作、作用について説明する。空気調和機本体５の冷房運転時において、熱交換器６を通過し冷却された風が送風ファン４によって吹出し口３で風向きを上側にする運転モードにおいて、上下風向変更羽根１の外側と内側の温度差が生じ、上下風向変更羽根１の外側が結露する。そこで、上下風向変更羽根１は中空用蓋１ａと箱部１ｂで構成された中空部２の断熱効果で冷房時の結露を防止することができる。
【００１３】
前記上下風向変更羽根１の中空用蓋１ａと箱部１ｂを組み立てるため、ドープセメントを用いるが、その際、中空用蓋１ａの外周にシール用突壁９とその先端外側に差込み突起７を複数個設け、また箱部１ｂは、外周にシール用突壁９とその先端内側に穴部８を複数個設けたことのより、前記ドープセメントにて係合時に仮固定が可能となり、前記ドープセメントの乾燥硬化中に中空用蓋１ａと箱部１ｂの外れるのを防止し、確実な位置で接着でき、尚且つ、接着強度が強く、安定した品質を確保することが可能となる。さらに箱部１ｂの外周にシール用突壁９の先端内側に穴部８を複数個設けることで前記ドープセメントの乾燥硬化時に、前記穴部８より、ドープセメントの溶剤分が揮発し易く、乾燥硬化時間が短縮できる。
【００１４】
上記構成により、中空部２で断熱材貼り付けと同等の断熱性能を維持し、コスト及び、工数低減を図ることができる。さらに、解体時の分別作業がなくなり、手間なくリサイクル使用できるため環境負荷の低減を図れる。
【産業上の利用可能性】
【００１５】
本発明の空気調和機の断熱構造は、従来と同等の断熱性能を維持しながら、安価で設備投資費用も少なく組み立てが容易で、しかも環境負荷の低減もできるので、断熱構造を必要とする各種機器、装置に適用できる。
【図面の簡単な説明】
【００１６】
【図１】本発明における実施の形態における空気調和機の正面図
【図２】図１のＢ−Ｂ断面図
【図３】同空気調和機の要部断面図（図２のＡ部断面図）
【図４】同空気調和機の上下風向変更羽根の分解斜視図
【図５】従来の上下風向変更羽根の分解斜視図
【符号の説明】
【００１７】
１  上下風向変更羽根
１ａ  中空用蓋
１ｂ  箱部
２  中空部
３  吹出し口
４  送風ファン
５  空気調和機本体
６  熱交換器
７  差込み突起
８  穴部
９  シール用突起
【図１】
2009063275.tif 000003
【図２】
2009063275.tif 000004
【図３】
2009063275.tif 000005
【図４】
2009063275.tif 000006
【図５】
2009063275.tif 000007